(57)【要約】      （修正有）【課題】蓄電装置のケースとケースの外側に位置する外側導電部材との導通（短絡）を抑制することができる蓄電装置を提供する。【解決手段】本発明の一側面に係る蓄電装置は、少なくとも一対の電極を有する電極組立体と、電極組立体を収容するケース１２と、電極に電気的に接続され、ケース１２の蓋部１８を貫通する電極端子２２と、ケース１２の外側において電極端子２２と結合する外側導電部材２８と、外側導電部材２８と蓋部１８との間に挟まれる絶縁部材２６と、ケース１２の外側に露出した蓋部１８の表面の少なくとも一部を覆い、フッ化アルミニウムを含む皮膜２と、を備える。【選択図】図５
2015115311.tif 000002
【特許請求の範囲】
【請求項１】
少なくとも一対の電極を有する電極組立体と、
前記電極組立体を収容するケースと、
前記電極に電気的に接続され、前記ケースの蓋部を貫通する電極端子と、
前記ケースの外側において前記電極端子と結合する外側導電部材と、
前記外側導電部材と前記蓋部との間に挟まれる絶縁部材と、
前記ケースの外側に露出した前記蓋部の表面の少なくとも一部を覆い、フッ化アルミニウムを含む皮膜と、
を備える、蓄電装置。
【発明の詳細な説明】
【技術分野】
【０００１】
本発明は、蓄電装置に関する。
【背景技術】
【０００２】
リチウムイオン二次電池等の蓄電装置は、ハイブリット自動車、電気自動車、フォークリフト等の重機、電子機器又はスマートグリット等の技術分野において実用されている。高電圧又は大容量の電池が必要となる技術分野では、接続部材（バスバー）によって電気的に接続された複数の蓄電装置を備える蓄電モジュールが用いられる。
【０００３】
リチウムイオン二次電池は、一対の電極（正極及び負極）と、電極間に挟まれたセパレータと、を有する電極組立体と、電極組立体を収容するケースと、正極に電気的に接続され、ケースの蓋部を貫通する電極端子（正極端子）と、負極に電気的に接続され、ケースの蓋部を貫通する電極端子（負極端子）と、を備える。蓄電モジュールにおいては、バスバーが、各リチウムイオン二次電池の電極端子を、他のリチウムイオン二次電池の電極端子と電気的に接続する。各電極端子は、ケースの蓋部に固定され、ケースの外側に位置する外側導電部材（例えば、ナット又はバスバー）と結合する。電流がケースに流れることを抑制するために、ケースの蓋部と外側導電部材と間には、絶縁部材が介在する。同様の理由から、各電極端子とケースの蓋部との間にも、絶縁部材が介在する。
【０００４】
湿度が高い環境、又は激しく気温が変化する環境の下では、リチウムイオン二次電池において絶縁されるべき部分同士が結露によって導通してしまうことがある。下記特許文献１には、熱媒体を用いた冷却に伴う結露によって組電池（蓄電モジュール）の接続部材（バスバー）同士が短絡することを抑制する技術が開示されている。
【先行技術文献】
【特許文献】
【０００５】
【特許文献１】特開２００９−２１２００５号公報
【発明の概要】
【発明が解決しようとする課題】
【０００６】
上記特許文献１に記載の技術では、隣り合う接続部材の間に絶縁部材が配置される。しかし、この技術では、結露によるケースの蓋部と外側導電部材との導通（短絡）を抑制することはできない。結露によって大きな水滴がケースの蓋部の表面に形成されると、絶縁部材が蓋部と外側導電部材と間に介在するにもかかわらず、水滴を介して蓋部と外側導電部材とが導通することがある。このような導通を抑制する方法の一つとしては、蓋部と外側導電部材との距離を長くしたり、絶縁部材を大きくしたりする方法がある。しかし、蓄電装置の小型化が求められる近年の事情の下では、このような方法のみによって蓋部と外側導電部材との導通を抑制することは困難である。
【０００７】
本発明は、上記従来技術の有する課題に鑑みてなされたものであり、蓄電装置のケースとケースの外側に位置する外側導電部材との導通（短絡）を抑制することができる蓄電装置を提供することを目的とする。
【課題を解決するための手段】
【０００８】
本発明の一側面に係る蓄電装置は、少なくとも一対の電極を有する電極組立体と、電極組立体を収容するケースと、電極に電気的に接続され、ケースの蓋部を貫通する電極端子と、ケースの外側において電極端子と結合する外側導電部材と、外側導電部材と蓋部との間に挟まれる絶縁部材と、ケースの外側に露出した蓋部の表面の少なくとも一部を覆い、フッ化アルミニウムを含む皮膜と、を備える。「結合する」との語句とは、例えば、ねじ結合、嵌合、カシメ、溶接、又は接着剤による接着等を含意する。
【０００９】
本発明の一側面に係る蓄電装置では、親水性又は濡れ性に優れたフッ化アルミニウムを含む皮膜が、蓋部の表面の少なくとも一部を覆っている。したがって、結露によって蓋部の表面に水滴が形成されたとしても、皮膜がない場合に比べて、蓋部の表面に対する水滴の接触角が小さくなる。つまり、皮膜がない場合に比べて、水滴の高さが低くなり、水滴が外側導電部材に接触し難くなる。このようなメカニズムによって、水滴を介したケース（蓋部）と外側導電部材との導通（短絡）が抑制される。
【発明の効果】
【００１０】
本発明によれば、蓄電装置のケースとケースの外側に位置する外側導電部材との導通（短絡）を抑制することができる蓄電装置が提供される。
【図面の簡単な説明】
【００１１】
【図１】図１は、本発明の第一実施形態に係る蓄電モジュールの模式的斜視図である。
【図２】図２は、図１の蓄電モジュールが備える蓄電装置の模式的断面図である。
【図３】図３は、図２のＩＩＩ−ＩＩＩ線に沿った蓄電装置の模式的断面図である。
【図４】図４は、図２の蓄電装置が備える正極端子の模式的断面図である。
【図５】図５は、図２の蓄電装置において正極端子が位置する部分の拡大面である。
【図６】図６は、本発明の第二実施形態に係る蓄電装置において正極端子が位置する部分の拡大面である。
【発明を実施するための形態】
【００１２】
以下、図面を参照して本発明の実施形態について説明する。図面の説明において、同一又は同等の構成要素には同一符号を付す。本発明は、以下の実施形態に限定されるものではない。
【００１３】
[第一実施形態]
図１に示すように、蓄電モジュール８６は、複数の蓄電装置１０と、複数の導電性の接続部材７４（バスバー）と、を備える。複数の蓄電装置１０は接続部材７４によって電気的に接続される。接続部材７４は、例えば板状であってよい。蓄電装置１０間には、隔壁部８８が設けられていてもよい。隔壁部８８は、蓄電装置１０同士の短絡を防止し、蓄電装置１０の放熱を促す。複数の蓄電装置１０は、ケース１２の蓋部１８の短辺方向に沿って重なるように配置されていればよい。
【００１４】
蓄電装置１０の数は、限定されず、２個以上であればよい。説明のために、隣接する一対の蓄電装置１０のうち一方の蓄電装置１０を第一の蓄電装置１０Ａと記載し、他方の蓄電装置１０を第二の蓄電装置１０Ｂと記載する。
【００１５】
複数の蓄電装置１０の電気的な接続形態は、直列接続でもよく、並列接続でもよい。複数の蓄電装置１０が直列接続されている場合、第一の蓄電装置１０Ａの正極端子２２Ｐと、第二の蓄電装置１０Ｂの負極端子２２Ｎとが、接続部材７４によって物理的に接続されていればよい。複数の蓄電装置１０が並列接続されている場合、第一の蓄電装置１０Ａの正極端子２２Ｐと、第二の蓄電装置１０Ｂの正極端子２２Ｐとが接続部材７４によって物理的に接続され、第一の蓄電装置１０Ａの負極端子２２Ｎと、第二の蓄電装置１０Ｂの負極端子２２Ｎとが、接続部材７４によって物理的に接続されていればよい。以下では、正極端子２２Ｐ及び負極端子２２Ｎに共通する事項を説明する場合、正極端子２２Ｐ及び負極端子２２Ｎを包含する語句として「電極端子２２」を用いる。
【００１６】
蓄電装置１０の一例であるリチウムイオン二次電池について説明する。図２及び図３に示すように、蓄電装置１０は、正極３２及び負極３４（一対の電極）と、正極３２及び負極３４に挟まれたセパレータ３６と、を有する電極組立体１４と、電極組立体１４を収容するケース１２と、正極３２に電気的に接続され、ケース１２の蓋部１８を貫通する正極端子２２Ｐと、負極３４に電気的に接続され、ケース１２の蓋部１８を貫通する負極端子２２Ｎと、を備える。
【００１７】
正極３２は、金属箔と金属箔を覆う正極活性物質層とを備える。正極活性物質層は金属箔の片面又は両面を覆っていてよい。正極３２の一縁部には、正極活性物質で覆われていない金属箔からなるタブ３８がある。ケース１２の内側において、正極３２はタブ３８を介して内側導電部材４０に接続されていている。内側導電部材４０は正極端子２２Ｐに接続されている。すなわち、正極端子２２Ｐは、タブ３８及び内側導電部材４０を介して、正極３２に電気的に接続されている。正極活物質は、例えば、リチウム及び遷移金属を含む複合酸化物（Ｌｉ、Ｎｉ、Ｃｏ及びＭｎを含む酸化物等）であってよい。正極３２はシート状であってよい。
【００１８】
負極３４は、金属箔と金属箔を覆う負極活性物質層とを備える。負極活性物質層は金属箔の片面又は両面を覆っていてよい。負極３４の一縁部には、負極活性物質層で覆われていない金属箔からなるタブ４４がある。ケース１２の内側において、負極３４は、タブ４４を介して内側導電部材４６に接続されている。内側導電部材４６は、負極端子２２Ｎに接続されている。すなわち、負極端子２２Ｎは、タブ４４及び内側導電部材４６を介して、負極３４に電気的に接続されている。負極活物質は、例えば、グラファイト若しくはハードカーボン等の炭素系材料、リチウムと合金化する元素（Ｓｎ若しくはＳｉ）、リチウムと合金化する元素を有する元素化合物、又は、ポリアセチレン若しくはポリピロール等の高分子材料であってよい。負極３４はシート状であってよい。
【００１９】
セパレータ３６は、例えば、ポリテトラフルオロエチレン、ポリプロピレン若しくはポリエチレン等の合成樹脂から構成された多孔質膜、又はセラミックスから構成された多孔質膜であればよい。
【００２０】
電極組立体１４においては、正極３２の正極活物質層、及び負極３４の負極活物質層の各々は、セパレータ３６に対向していてよい。電極組立体１４において、複数の正極３２と、複数の負極３４とが、セパレータ３６を介して交互に積層されてもよい。
【００２１】
正極端子２２Ｐは、例えば、アルミニウム単体又はアルミニウム合金からなっていてよい。負極端子２２Ｎは、例えば、例えば、銅単体又は銅合金からなっていてよい。接続部材７４は、例えば、アルミニウム単体、アルミニウム合金、銅単体、銅合金、錫単体又は錫合金からなる群より選ばれる少なくとも一種からなっていてよい。正極端子２２Ｐ又は負極端子２２Ｎにめっき等の表面処理が施され、正極端子２２Ｐ又は負極端子２２Ｎの表面がめっき膜等の皮膜によって覆われていてよい。
【００２２】
ケース１２は、電極組立体１４を収容するケース本体１６と、ケース本体１６の開口した一端部を塞ぐ蓋部１８と、を備える。蓋部１８には、一対の電極端子２２（正極端子２２Ｐ及び負極端子２２Ｎ）が互いに離間して配置されている。蓋部１８は、例えば、レーザ溶接等によってケース本体１６の開口した端部に接合されていてよい。ケース１２の形状は、例えば、直方体であってよい。
【００２３】
ケース本体１６は、例えば、アルミニウム、アルミニウム合金又はステンレス等の金属から構成されていてよい。蓋部１８は、例えば、アルミニウム又はアルミニウム合金から構成されていてよい。
【００２４】
ケース１２の内部には、電極組立体１４と共に、非水電解液２０が充填されている。非水電解液２０に含まれる電解質は、例えば、ＬｉＢＦ４、ＬｉＰＦ６、ＬｉＣｌＯ４、ＬｉＡｓＦ６、ＬｉＣＦ３ＳＯ３又はＬｉＮ（ＣＦ３ＳＯ２）２等のリチウム塩であってよい。非水電解液２０の溶媒は、例えば、環状エステル類、鎖状エステル類又はエーテル類であってよい。
【００２５】
図４及び図５に示すように、電極端子２２は、基端部５０と、突出部５２と、を備える。基端部５０は、ケース１２の内側に配置されている。突出部５２は、蓋部１８に形成されている挿通孔２４を通して、基端部５０からケース１２の外側へ突出している。突出部５２の端面５８は接続部材７４に接している。電極端子２２の基端部５０は、内側導電部材４０に接続される。負極端子２２Ｎの基端部５０は、内側導電部材４６に接続される。基端部５０は、柱状（例えば、円柱状）であってよい。基端部５０の径は、挿通孔２４の径より大きくてよい。突出部５２は、柱状（例えば円柱状）であってよい。突出部５２は、挿通孔２４の径より小さくてよい。電極端子２２には、突出部５２の端面５８から基端部５０に向けて延びる挿入孔６２が形成されていてよい。挿入孔６２の長さ（深さ）は、電極端子２２の長さよりも短くてよい。
【００２６】
図５に示すように、導電性を有するボルト７６（第一の固定部材）の軸部が、接続部材７４に形成された穴８４（又は切欠き部）に嵌合してよい。さらに、ボルト７６の軸部が、電極端子２２の挿入孔６２に挿入されていてよい。接続部材７４は、ボルト７６の頭部と、電極端子２２の端面５８と、の間に挟まれていてよい。つまり、接続部材７４はボルト７６（第一の固定部材）によって電極端子２２に固定されていてよい。挿入孔６２は、ボルト７６の軸部（雄ネジ部）と螺合する雌ネジ部であってよい。すなわち、挿入孔６２は、ボルトが螺合するネジ穴であってよい。
【００２７】
電極端子２２に形成された挿入孔６２と、第一の固定部材との結合形態は、ネジによる結合に限定されない。例えば、第一の固定部材が、頭部と、頭部から延びる軸部とを有し、軸部にネジ溝が切られていないリベットであってもよい。挿入孔６２の内面にはネジ溝が形成されていなくてもよい。この場合、第一の固定部材の軸部が挿入孔６２に圧入され、第一の固定部材及び接続部材７４がカシメによって電極端子２２に固定されてよい。
【００２８】
電極端子２２の突出部５２は、蓋部１８の挿通孔２４を通じて、導電性を有する第二の固定部材２８（外側導電部材）の開口部に嵌合していてよい。第二の固定部材２８は、例えば、ナットであってよい。電極端子２２の基端部５０と第二の固定部材２８との間に蓋部１８が挟まれる。つまり、電極端子２２は第二の固定部材２８（外側導電部材）によって蓋部１８に固定される。突出部５２の側周面５４（外周面）には、雄ネジ部（ネジ領域５６）が形成されていてよい。ネジ領域５６は、側周面５４において突出部５２の端面５８に寄った領域に設けられていてよい。第二の固定部材２８（外側導電部材）の開口部の内面にネジ部（雌ネジ部）が形成されていてよい。電極端子２２の突出部５２のネジ領域５６（雄ネジ部）と第二の固定部材２８（外側導電部材）の雌ネジ部が螺合してよい。側周面５４においてネジ領域５６と基端部５０との間には、ネジ溝が形成されていない非ネジ領域があってよい。この非ネジ領域は、ケース１２の蓋部１８に形成された挿通孔２４に嵌合してよい。
【００２９】
電極端子２２の突出部５２と、第二の固定部材２８（外側導電部材）との結合形態は、ネジによる結合に限定されない。例えば、突出部５２の側周面５４にネジ溝が形成されていなくてもよい。第二の固定部材２８（外側導電部材）の開口部の内面にはネジ溝が形成されていなくてもよい。つまり、第二の固定部材２８（外側導電部材）の開口部の内面は平滑であってもよい。この場合、電極端子２２の突出部５２が第二の固定部材２８（外側導電部材）の開口部に圧入されてよい。
【００３０】
第二の固定部材２８（外側導電部材）と蓋部１８との間、及び電極端子２２の突出部５２と蓋部１８との間には、第一の絶縁部材２６が介在している。第一の絶縁部材２６は、例えば、弾性及び絶縁性を有する環状の部材であればよい。第一の絶縁部材２６が、第二の固定部材２８（外側導電部材）と蓋部１８との間、及び突出部５２と蓋部１８との間に介在することにより、ケース１２内が密閉される。
【００３１】
電極端子２２の基端部５０と蓋部１８との間には、第二の絶縁部材３０が介在していてよい。第二の絶縁部材３０は、突出部５２の付け根部分を囲んでいてよい。第二の絶縁部材３０は、例えば、弾性及び絶縁性を有する環状の部材であればよい。第二の絶縁部材３０が、電極端子２２の基端部５０と蓋部１８との間に介在することにより、ケース１２内が密封される。
【００３２】
ケース１２の外側に露出した蓋部１８の表面は、フッ化アルミニウム（例えば、ＡｌＦ３）を含む皮膜２で覆われている。蓋部１８の表面の一部が、皮膜２で覆われていてもよい。蓋部１８の表面の全体が、皮膜２で覆われていてもよい。蓋部１８の表面のうち挿通孔２４の周囲６のみが、皮膜２で覆われていてもよい。皮膜２は、フッ化アルミニウムのみからなっていてもよい。
【００３３】
フッ化アルミニウムを含む皮膜２は、親水性又は濡れ性を有する。したがって、結露によって蓋部１８の表面に水滴４が形成されたとしても、皮膜２がない場合に比べて、蓋部１８又は皮膜２の表面に対する水滴４の接触角が小さくなる。つまり、蓋部１８又は皮膜２の表面と水滴４の頭頂部との距離（水滴４の高さ）が小さくなる。また、時間が経過した場合であっても、水滴４の小さな接触角が皮膜２によって維持される。これらの理由から、水滴４が第二の固定部材２８（外側導電部材）に接触し難くなり、水滴４を介した蓋部１８と第二の固定部材２８（外側導電部材）との導通（短絡）が抑制される。同様の理由から、水以外の導電性の液体（例えば非水電解液２０）からなる液滴が皮膜２の表面に形成された場合であっても、液滴を介した蓋部１８と第二の固定部材２８（外側導電部材）との導通（短絡）が抑制される。なお、小さい接触角とは、例えば、５〜３６°である。大きい接触角とは、例えば、８０°以上である。本発明者らは、皮膜２の表面に形成された水滴４の接触角が長時間（例えば２４０時間）にわたって小さい値に維持されることを、実験で確認した。
【００３４】
蓋部１８と第二の固定部材２８（外側導電部材）との導通（短絡）が皮膜２によって抑制されるので、第一の絶縁部材２６を薄くして、蓋部１８と第二の固定部材２８とを近づけて、蓄電装置１０を小型化することができる。
【００３５】
フッ化アルミニウムは耐火性、放熱性、伝熱性及び耐食性に優れる。蓋部１８の表面が皮膜２で覆われることにより、蓄電装置１０自体の耐火性、放熱性、伝熱性及び耐食性も向上する。
【００３６】
皮膜２は、例えば、アルミニウム又はアルミニウム合金からなる蓋部１８の表面のフッ素化によって形成される。フッ素化の方法は特に限定されない。例えば、フッ素化剤の水溶液（処理液）を蓋部１８の表面に塗布することにより、蓋部１８の表面に存在する酸化アルミニウム膜が除去され、フッ化アルミニウムを含む皮膜２が形成される。蓋部１８を処理液に浸漬してもよい。フッ素化剤は、例えば、フッ化水素、フッ化アンモニウム、アルカリ金属のフッ化物、又は六フッ化金属化合物であってよい。アルカリ金属のフッ化物は、例えば、フッ化ナトリウム又はフッ化カリウムであってよい。六フッ化金属化合物は、例えば、六フッ化アルミニウムカリウム、六フッ化アルミニウムナトリウム、又は六フッ化アルミニウムアンモニウムであってよい。処理液におけるフッ素化剤の含有率は、特に限定されないが、例えば０．２〜１０質量％であってよい。処理液のｐＨは、特に限定されないが、例えば２．０〜６．５であってよい。処理液の温度は、特に限定されないが、例えば１５〜６０℃であってよい。処理液を蓋部１８の表面に接触させる時間は、特に限定されないが、例えば５〜３００分であってよい。
【００３７】
アルミニウム又はアルミニウム合金からなる蓋部１８の表面を粗面化した後、蓋部１８の表面のフッ素化を行ってもよい。この場合、蓋部１８の表面において皮膜２で被覆された部分は粗面である。皮膜２で被覆された部分が粗面であると、皮膜２上に形成された水滴４の接触角が小さくなり易い。蓋部１８の表面において皮膜２で被覆された部分の表面粗さＲａは、例えば、５〜１５μｍであってよく、さらには９〜１０μｍであることがより好ましい。粗面化の方法は、例えば、コロナ放電、プラズマ処理、又はショットブラストであってよい。蓋部１８を、蓋部１８よりもイオン化傾向が小さい金属と共に、酸性の液体に浸漬してもよい。この場合も、蓋部１８の表面が粗面化する。酸性の液体は、例えば、塩酸、硫酸、硝酸、蓚酸、又は酢酸であってよい。
【００３８】
[第二実施形態]
以下では、第二実施形態にについて説明する。以下の事項を除いて、第二実施形態は第一実施形態と共通する。第二実施形態及び第一実施形態に共通する事項の説明は省略する。
【００３９】
第一実施形態では、第二の固定部材２８が外側導電部材であるが、第二実施形態では、接続部材７４が外側導電部材である。第二実施形態において、接続部材７４（外側導電部材）は、蓄電装置１０同士を接続するバスバーであってよい。または、接続部材７４（外側導電部材）が、蓋部１８を貫通する電極端子２２と、蓋部１８上に設置される別の電極端子と、を接続する導電部材であってよい。
【００４０】
第二実施形態に係る蓄電装置１０は、第一の固定部材及び第二の固定部材を備えなくてもよい。図６に示すように、第二実施形態に係る蓄電装置１０においては、挿入孔６２が電極端子２２に形成されていなくてよい。電極端子２２の突出部５２の側周面５４にネジ溝が形成されていなくてよい。電極端子２２の突出部５２は、接続部材７４に形成された穴８４（又は切欠き部）に嵌合していてよい。電極端子２２、蓋部１８及び接続部材７４が、カシメによって結合していてよい。つまり、突出部５２の端部５２ａを接続部材７４の表面に密着させるように変形させ、突出部５２の端部５２ａと基端部５０との間に、接続部材７４、第一の絶縁部材２６、及び第二の絶縁部材３０を挟んでよい。蓋部１８の表面のうち接続部材７４（外側導電部材）に対向する領域８が、皮膜２で覆われていてよい。
【００４１】
第二実施形態に係る蓄電装置１０では、水滴４を介した蓋部１８と接続部材７４（外側導電部材）との導通（短絡）が抑制される。
【００４２】
以上、本発明の第一実施形態及び第二実施形態について説明したが、本発明は上記実施形態に限定されるものではない。例えば、本発明は以下の形態であってもよい。
【００４３】
第一実施形態において、ボルト７６の頭部の表面の一部又は全部が、皮膜２で覆われていてよい。この場合、ボルト７６の頭部の表面に対する水滴の接触角が小さくなる。つまり、皮膜２がない場合に比べて、水滴が小さくなる。その結果、水滴がボルト７６の頭部に留まり、頭部から滴り落ち難く、水滴を介した蓋部１８と第二の固定部材２８（外側導電部材）との導通（短絡）が抑制される。
【００４４】
第二実施形態において、電極端子２２の端面５８の一部又は全部が、皮膜２で覆われていてよい。この場合、電極端子２２の端面５８に対する水滴の接触角が小さくなる。つまり、皮膜２がない場合に比べて、水滴が小さくなる。その結果、水滴が電極端子２２の端面５８に留まり、端面５８から滴り落ち難く、水滴を介した蓋部１８と接続部材７４（外側導電部材）との導通（短絡）が抑制される。
【００４５】
蓄電装置は、正極及び負極を備えるものであればよく、リチウムイオン二次電池に限定されない。例えば、蓄電装置は、金属リチウム二次電池、ニッケル水素二次電池、電気二重層キャパシタ、又はリチウムイオンキャパシタであってもよい。
【符号の説明】
【００４６】
２・・・皮膜、４・・・水滴、１０・・・蓄電装置、１２・・・ケース、１８・・・蓋部、１４・・・電極組立体、２２・・・電極端子、２２Ｐ・・・正極端子、２２Ｎ・・・負極端子、２６・・・第一の絶縁部材、２８・・・第二の固定部材（第一実施形態における外側導電部材）、３２・・・正極、３４・・・負極、３６・・・セパレータ、５０・・・基端部、５２・・・突出部、５２ａ・・・突出部の端部、５８・・・端面、７４・・・接続部材（第二実施形態における外側導電部材）、８６・・・蓄電モジュール。
【図１】
2015115311.tif 000003
【図２】
2015115311.tif 000004
【図３】
2015115311.tif 000005
【図４】
2015115311.tif 000006
【図５】
2015115311.tif 000007
【図６】
2015115311.tif 000008